(57)【特許請求の範囲】
【請求項１】
無線通信方法であって、
分散型ユニット（ＤＵ）が、集中型ユニット（ＣＵ）からページングメッセージを受信することであって、前記ページングメッセージは、ページング記録情報および支援情報を備え、前記支援情報は、不連続受信（ＤＲＸ）パラメータおよびセルのリストを備える、ことと、
前記ＤＵが、前記不連続受信（ＤＲＸ）パラメータに従って、前記ページングメッセージの伝送時点を判定することと、
前記ＤＵが、前記支援情報に従って、前記伝送時点において前記ページングメッセージをユーザ機器（ＵＥ）に伝送することと
を含む、無線通信方法。
【請求項２】
前記支援情報に従って、前記ページングメッセージを伝送することは、
前記ＤＵが、前記セルのリストに従って、前記ページングメッセージの伝送エリアを判定することと、
前記ＤＵが、前記伝送エリアにおいて前記ページングメッセージを前記ＵＥに伝送することと
をさらに含む、請求項１に記載の無線通信方法。
【請求項３】
前記無線通信方法は、前記ページングメッセージが異常に伝送されるという条件で、前記ＤＵが、ページング異常メッセージを前記ＣＵに伝送することをさらに含み、前記ページング異常メッセージは、前記ページングメッセージを伝送することができないことの理由を備える、請求項１に記載の無線通信方法。
【請求項４】
ページング異常メッセージを伝送することは、事前設定された伝送時点を逸失する異常イベントが前記ページングメッセージを伝送するときに起こると判定することに応答して、前記ＤＵが、時間前進情報を前記ＣＵに伝送することをさらに含み、前記時間前進情報は、前記ページングメッセージを伝送する時点を調節するように前記ＣＵに命令するものである、請求項３に記載の無線通信方法。
【請求項５】
無線通信方法であって、
集中型ユニット（ＣＵ）が、ページングメッセージを生成することと、
前記ＣＵが、前記ページングメッセージを分散型ユニット（ＤＵ）に伝送することと
を含み、
前記ページングメッセージは、ページング記録情報および支援情報を備え、前記支援情報は、不連続受信（ＤＲＸ）パラメータおよびセルのリストを備え、前記ＤＲＸパラメータは、前記ＤＵが前記ページングメッセージを伝送する時点を計算するように構成されている、無線通信方法。
【請求項６】
前記ページングメッセージを伝送することは、
前記ＣＵが、前記支援情報の中に前記ＤＲＸパラメータを取り込むことと、
前記ＣＵが、前記支援情報を搬送する前記ページングメッセージを前記ＤＵに伝送することと
をさらに含む、請求項５に記載の無線通信方法。
【請求項７】
前記ページングメッセージを伝送することは、
前記ＣＵが、ＤＵ同期化メッセージを前記ＤＵに伝送することと、
前記ＣＵが、前記ＤＵ同期化メッセージに従って、前記ＤＵによって伝送される応答メッセージを受信することと、
前記ＣＵが、前記応答メッセージに従って、前記ＤＵとの伝送待ち時間を計算することと、
前記ページングメッセージを伝送する時点に先立って、前記ＣＵが、前記伝送待ち時間に従って、前記ページングメッセージを前記ＤＵに伝送することと
をさらに含む、請求項５に記載の無線通信方法。
【請求項８】
無線通信デバイスであって、
集中型ユニット（ＣＵ）からページングメッセージを受信するように構成された受信モジュールであって、前記ページングメッセージは、ページング記録情報および支援情報を備え、前記支援情報は、不連続受信（ＤＲＸ）パラメータおよびセルのリストを備える、受信モジュールと、
前記不連続受信（ＤＲＸ）パラメータに従って、前記ページングメッセージの伝送時点を判定し、前記支援情報に従って、前記伝送時点において前記ページングメッセージをユーザ機器（ＵＥ）に伝送するように構成された伝送モジュールと
を備える、無線通信デバイス。
【請求項９】
前記伝送モジュールは、
前記セルのリストに従って、前記ページングメッセージの伝送エリアを判定し、前記伝送エリアにおいて前記ページングメッセージを前記ＵＥに伝送すること、
前記ページングメッセージが異常に伝送されるという条件で、ページング異常メッセージを前記ＣＵに伝送することであって、前記ページング異常メッセージは、前記ページングメッセージを伝送することができないことの理由を備える、こと、または
事前設定された伝送時点を逸失する異常イベントが前記ページングメッセージを伝送するときに起こると判定することに応答して、時間前進情報を前記ＣＵに伝送することであって、前記時間前進情報は、前記ページングメッセージを伝送する時点を調節するように前記ＣＵに命令するものである、こと
のうちの少なくとも１つを行うように構成されている、請求項８に記載の無線通信デバイス。
【請求項１０】
無線通信ノードであって、
ページングメッセージを生成するように構成された生成モジュールと、
前記ページングメッセージを分散型ユニット（ＤＵ）に伝送するように構成された伝送モジュールと
を備え、
前記ページングメッセージは、ページング記録情報および支援情報を備え、前記支援情報は、不連続受信（ＤＲＸ）パラメータおよびセルのリストを備え、前記ＤＲＸパラメータは、前記ＤＵが前記ページングメッセージを伝送する時点を計算するために構成されている、無線通信ノード。
【請求項１１】
前記伝送モジュールは、
前記支援情報の中に前記ＤＲＸパラメータを取り込み、前記支援情報を搬送する前記ページングメッセージを前記ＤＵに伝送することと、
ＤＵ同期化メッセージを前記ＤＵに伝送し、前記ＤＵ同期化メッセージに従って前記ＤＵによって伝送される応答メッセージを受信し、前記応答メッセージに従って前記ＤＵとの伝送待ち時間を計算し、前記ページングメッセージを伝送する時点に先立って、前記伝送待ち時間に従って前記ページングメッセージを前記ＤＵに伝送することと
のうちの少なくとも１つを行うように構成されている、請求項１０に記載の無線通信ノード。
【発明の詳細な説明】
【技術分野】
【０００１】
（関連出願への相互参照）
本出願は、２０１７年６月１５日に出願された中国特許出願第２０１７１０４５１４６６．７号に対して優先権を主張する。上記文献の開示内容は、その全体として参照することによって本明細書において援用される。
【０００２】
（技術分野）
本開示は、限定ではないが、通信の分野に関する。
【背景技術】
【０００３】
（背景）
５Ｇネットワークアーキテクチャは、革新およびネットワーキング融通性を有する。図１に示されるように、５Ｇネットワーク内の無線アクセスネットワーク側における基地局は、２つの機能エンティティ、すなわち、集中型ユニット（ＣＵ）および分散型ユニット（ＤＵ）に分離される。ＣＵおよびＤＵが分離されるネットワークアーキテクチャでは、待ち時間に敏感ではないネットワーク機能が、ＣＵの中に設置され、待ち時間に敏感なネットワーク機能が、ＤＵの中に設置される。ＣＵおよびＤＵは、理想または非理想的フロントホールインターフェースを通して、伝送および接続を実施する。加えて、ＣＵおよびＤＵの分離はまた、４Ｇの将来の進化のために好適であり得る。
【０００４】
ユーザ機器（ＵＥ）は、不連続受信（ＤＲＸ）様式でページング情報を受信し、電力消費量を節約する。エアインターフェースに出現するページング情報の場所は、固定され、ページングフレーム（ＰＦ）およびページング機会（ＰＯ）によって表される。１つのＰＦは、無線フレームであり、１つ以上のＰＯを含んでもよい。ＰＯは、ページングフレーム内の１つのサブフレームであり、ページング無線ネットワーク一時識別（Ｐ−ＲＮＴＩ）の情報を含み、物理ダウンリンク制御チャネル（ＰＤＣＣＨ）上で伝送される。Ｐ−ＲＮＴＩは、プロトコルでは固定値として定義される。ＵＥは、Ｐ−ＲＮＴＩに従って、物理ダウンリンク共有チャネル（ＰＤＳＣＨ）からページングメッセージを読み取るであろう。ＰＦのフレーム番号およびＰＯのサブフレーム番号は、ＵＥの国際移動電話加入者識別番号（ＩＭＳＩ）、ＤＲＸサイクル、およびＤＲＸサイクル内のＰＯの数によって、計算され得る。ページング機構が、図２に示される。
【０００５】
統合型基地局に関して、コアネットワークによって開始されるページングプロセスでは、コアネットワークは、最初に、ページングメッセージを基地局に伝送し、基地局によって開始されるページングプロセスでは、基地局は、ページングメッセージを構築してもよい。基地局は、エアインターフェース内でページングメッセージの伝送時点を計算する必要があり、基地局は、計算された伝送時点においてページングメッセージを伝送し、指定端末を呼び出す。しかしながら、基地局がＣＵおよびＤＵに分離された後、ＤＵおよびＣＵがページングメッセージを協調的に伝送する方法、およびページングメッセージのエアインターフェース伝送時点を計算するために具体的に使用されるネットワーク要素についての問題を解決するための具体的方法が存在しない。したがって、ＣＵおよびＤＵが分離されるときに、指定端末を呼び出す方法についての問題を解決することが早急に必要とされる。
【０００６】
加えて、ＣＵとＤＵとの間にフロントホールがあるため、非理想的フロントホールの場合、長い伝送待ち時間が、ＣＵとＤＵとの間に存在し得、したがって、ＣＵがページングメッセージを伝送するとき、ＣＵとＤＵとの間の伝送待ち時間が考慮される必要があり、伝送待ち時間に起因してページングメッセージのエアインターフェース伝送時点を逸失することを回避するように、ページングメッセージが、事前にＤＵに伝送される必要がある。
【０００７】
上記から、基地局がＣＵおよびＤＵに分離された後に、ページングメッセージが協調的にＣＵおよびＤＵによって伝送されることができないという問題が関連技術分野内に存在することが、知られ得る。
【０００８】
いかなる効果的な解決策も、既存の技術分野では上記の問題のためにまだ提案されていない。
【発明の概要】
【発明が解決しようとする課題】
【０００９】
（要約）
本開示の実施形態は、ページングメッセージを伝送するための方法およびデバイス、ならびに記憶媒体を提供する。
【課題を解決するための手段】
【００１０】
本開示のある実施形態によると、ページングメッセージを伝送するための方法が、提供される。本方法は、ページングメッセージを生成することと、ページングメッセージを分散型ネットワークユニット（ＤＵ）に伝送することとを含む。ページングメッセージは、支援情報を含み、支援情報は、ページングメッセージを伝送するようにＤＵに命令するために使用される。
【００１１】
本開示の別の実施形態によると、ページングメッセージを伝送するための方法が、さらに提供される。本方法は、集中型ネットワークユニット（ＣＵ）によって伝送されるページングメッセージを受信することであって、ページングメッセージは、支援情報を含む、ことと、支援情報に従って、ページングメッセージを伝送することとを含む。
【００１２】
本開示の別の実施形態によると、ページングメッセージを伝送するためのデバイスが、提供される。本デバイスは、ページングメッセージを生成するように構成される、生成モジュールと、ページングメッセージをＤＵに伝送するように構成される、第１の伝送モジュールとを含み、ページングメッセージは、支援情報を含み、支援情報は、ページングメッセージを伝送するようにＤＵに命令するために使用される。
【００１３】
本開示の別の実施形態によると、ページングメッセージを伝送するためのデバイスが、さらに提供される。本デバイスは、ＣＵによって伝送されるページングメッセージを受信するように構成される、受信モジュールであって、ページングメッセージは、支援情報を含む、受信モジュールと、支援情報に従って、ページングメッセージを伝送するように構成される、第２の伝送モジュールとを含む。
【００１４】
本開示の別の実施形態によると、記憶媒体が、さらに提供される。記憶媒体は、実行されると、上記に説明される実施形態のうちのいずれか１つの方法を実施する、記憶されたプログラムを含む。
【００１５】
本開示の別の実施形態によると、プロセッサが、さらに提供される。プロセッサは、実行されると、上記に説明される実施形態のうちのいずれか１つの方法を実施する、プログラムを実行するために使用される。
【００１６】
本開示では、ＣＵがページングメッセージを生成した後、ＣＵは、ページングメッセージをＤＵに伝送し、ＤＵは、ページングメッセージの中で搬送される支援情報に従って、ページングメッセージを伝送するように命令される。したがって、基地局がＣＵおよびＤＵに分離された後に、ページングメッセージが協調的にＣＵおよびＤＵによって伝送されることができないという関連技術分野内の問題は、ＣＵおよびＤＵを通してページングメッセージを適時に伝送するという効果を達成するように、解決され得る。
本願明細書は、例えば、以下の項目も提供する。
（項目１）
ページングメッセージを伝送するための方法であって、
ページングメッセージを生成することと、
前記ページングメッセージを分散型ネットワークユニット（ＤＵ）に伝送することであって、前記ページングメッセージは、支援情報を含み、前記支援情報は、前記ページングメッセージを伝送するように前記ＤＵに命令するために使用される、ことと
を含む、方法。
（項目２）
前記支援情報は、
前記ページングメッセージの期待伝送時間情報と、
前記ページングメッセージの期待伝送エリア情報と、
前記ページングメッセージの期待伝送周波数情報と、
前記ページングメッセージに対応するユーザタイプ情報と、
前記ページングメッセージの反復伝送情報であって、前記反復伝送情報は、前記ページングメッセージを繰り返し伝送する回数を計算するように前記ＤＵに命令するために使用される、反復伝送情報と
のうちの少なくとも１つを備える、項目１に記載の方法。
（項目３）
前記期待伝送時間情報は、
前記ページングメッセージの期待伝送時点と、
前記ページングメッセージの期待伝送時点を計算するためのパラメータであって、前記パラメータは、前記ページングメッセージを伝送する時点を計算するように前記ＤＵに命令するために使用される、パラメータと
のうちの少なくとも１つを備える、項目２に記載の方法。
（項目４）
前記期待伝送エリア情報は、
前記ページングメッセージが伝送されることが期待される、セルのリストと、
前記ページングメッセージが伝送されることが期待される、場所エリアと、
前記ページングメッセージが伝送されることが期待される、無線アクセスネットワーク（ＲＡＮ）ページングエリアと
のうちの少なくとも１つを備える、項目２に記載の方法。
（項目５）
前記期待伝送周波数情報は、
前記ページングメッセージの期待伝送帯域幅と、
前記ページングメッセージの期待伝送周波数と
のうちの少なくとも１つを備える、項目２に記載の方法。
（項目６）
前記ページングメッセージを前記ＤＵに伝送することは、
前記ページングメッセージの期待伝送エリア情報に従って、前記ページングメッセージが伝送される伝送エリアが属する前記ＤＵを検索することと、
前記ページングメッセージを、前記伝送エリアが属する前記ＤＵに伝送することと
を含む、項目１に記載の方法。
（項目７）
前記ページングメッセージを前記ＤＵに伝送することは、
ＤＵ同期化メッセージを前記ＤＵに伝送することと、
前記ＤＵ同期化メッセージに従って、前記ＤＵによって伝送される応答メッセージを受信することと、
前記応答メッセージに従って、前記ＤＵとの伝送待ち時間を計算することと、
前記ページングメッセージの期待伝送時点の前に、前記伝送待ち時間に従って、前記ページングメッセージを前記ＤＵに伝送することと
を含む、項目１に記載の方法。
（項目８）
前記ページングメッセージはさらに、端末ページング記録情報を備える、項目１に記載の方法。
（項目９）
前記ページングメッセージを前記ＤＵに伝送することは、
端末の不連続受信（ＤＲＸ）パラメータに従って、前記ページングメッセージの期待伝送時点を計算し、前記支援情報の中に前記期待伝送時点を取り込み、前記支援情報を搬送する前記ページングメッセージを前記ＤＵに伝送することと、
前記支援情報の中に前記端末のＤＲＸパラメータを取り込み、前記支援情報を搬送する前記ページングメッセージを前記ＤＵに伝送することであって、前記ＤＲＸパラメータは、前記ページングメッセージの期待伝送時点を計算するように前記ＤＵに命令する、ことと
のうちの１つを含む、項目１に記載の方法。
（項目１０）
ページングメッセージを伝送するための方法であって、
集中型ネットワークユニット（ＣＵ）によって伝送されるページングメッセージを受信することであって、前記ページングメッセージは、支援情報を備える、ことと、
前記支援情報に従って、前記ページングメッセージを伝送することと
を含む、方法。
（項目１１）
前記支援情報は、
前記ページングメッセージの期待伝送時間情報と、
前記ページングメッセージの期待伝送エリア情報と、
前記ページングメッセージの期待伝送周波数情報と、
前記ページングメッセージに対応するユーザタイプ情報と、
前記ページングメッセージの反復伝送情報と
のうちの少なくとも１つを備える、項目１０に記載の方法。
（項目１２）
前記支援情報に従って、前記ページングメッセージを伝送することは、
前記支援情報に従って、前記ページングメッセージの伝送時点を判定することと、
前記伝送時点において事前設定された伝送様式で前記ページングメッセージを伝送することと
を含み、
前記事前設定された伝送様式は、以下の情報：前記ページングメッセージの伝送エリア、前記ページングメッセージの伝送周波数、および前記ページングメッセージを繰り返し伝送する回数のうちの少なくとも１つを通して判定される、項目１０に記載の方法。
（項目１３）
前記支援情報に従って、前記ページングメッセージの伝送時点を判定することは、
前記支援情報の中で明示的に示される時点に従って、前記伝送時点を判定することと、
前記支援情報の中で搬送される不連続受信（ＤＲＸ）パラメータに従って、前記伝送時点を判定することと
のうちの１つを含む、項目１２に記載の方法。
（項目１４）
前記ページングメッセージの伝送エリアは、前記支援情報の中で搬送される以下の情報：
前記ページングメッセージが伝送されることが期待される、セルのリストと、
前記ページングメッセージが伝送されることが期待される、場所エリアと、
前記ページングメッセージが伝送されることが期待される、無線アクセスネットワーク（ＲＡＮ）ページングエリアと
のうちの少なくとも１つに従って判定される、項目１２に記載の方法。
（項目１５）
前記ページングメッセージの伝送周波数は、前記支援情報の中で搬送される以下の情報：
前記ページングメッセージの期待伝送帯域幅と、
前記ページングメッセージの期待伝送周波数と
のうちの少なくとも１つに従って判定される、項目１２に記載の方法。
（項目１６）
前記ページングメッセージを繰り返し伝送する回数は、前記支援情報の中で搬送される以下の情報：反復伝送情報に従って判定される、項目１２に記載の方法。
（項目１７）
前記支援情報に従って前記ページングメッセージを伝送する前に、前記方法はさらに、１つ以上のページングメッセージ上で、同一伝送時点を伴う、いくつかの端末ページング記録情報を搬送することを含む、項目１０に記載の方法。
（項目１８）
前記支援情報に従って前記ページングメッセージを伝送する前に、前記方法はさらに、同一伝送時点を伴う、いくつかの端末ページング記録情報を１つのページングメッセージに組み合わせることを含む、項目１０に記載の方法。
（項目１９）
前記ＣＵによって伝送される前記ページングメッセージを受信した後に、前記方法はさらに、応答メッセージを前記ＣＵに伝送することを含み、前記応答メッセージは、前記ページングメッセージが受信されることを示すために使用される、項目１０に記載の方法。
（項目２０）
前記支援情報に従って、前記ページングメッセージを伝送するとき、前記方法はさらに、前記ページングメッセージが異常に伝送されるという条件で、ページング異常メッセージを前記ＣＵに伝送することを含み、前記ページング異常メッセージは、前記ページングメッセージを伝送することができないことの理由を備える、項目１０に記載の方法。
（項目２１）
前記ページングメッセージが異常に伝送されるという条件で、前記ページング異常メッセージを前記ＣＵに伝送することは、事前設定された伝送時点を逸失する異常イベントが前記ページングメッセージを伝送する際に起こると判定することに応答して、伝送時間前進情報を備える前記ページング異常メッセージを前記ＣＵに伝送することを含み、前記時間前進情報は、前記ページングメッセージを伝送する時点を調節するように前記ＣＵに命令するために使用される、項目２０に記載の方法。
（項目２２）
前記ページングメッセージはさらに、端末ページング記録情報を備える、項目１０に記載の方法。
（項目２３）
ページングメッセージを伝送するためのデバイスであって、
ページングメッセージを生成するように構成されている、生成モジュールと、
前記ページングメッセージを分散型ネットワークユニット（ＤＵ）に伝送するように構成されている、第１の伝送モジュールであって、前記ページングメッセージは、支援情報を含み、前記支援情報は、前記ページングメッセージを伝送するように前記ＤＵに命令するために使用される、第１の伝送モジュールと
を備える、デバイス。
（項目２４）
ページングメッセージを伝送するためのデバイスであって、
集中型ネットワークユニット（ＣＵ）によって伝送されるページングメッセージを受信するように構成されている、受信モジュールであって、前記ページングメッセージは、支援情報を備える、受信モジュールと、
前記支援情報に従って、前記ページングメッセージを伝送するように構成されている、第２の伝送モジュールと
を備える、デバイス。
（項目２５）
記憶されたプログラムを備える記憶媒体であって、実行されると、前記プログラムは、項目１〜９のいずれか１項に記載の方法を実行し、または項目１０〜２２のいずれか１項に記載の方法を実行する、記憶媒体。
【００１７】
本明細書に説明される図面は、本開示のさらなる理解を提供し、本願の一部を形成するために使用される。本開示における例示的実施形態およびその説明は、本開示を解説するために使用される。
【図面の簡単な説明】
【００１８】
【図１】図１は、関連技術分野内の集中型ネットワークユニットおよび分散型ネットワークユニットの分離されたアーキテクチャの概略図である。
【００１９】
【図２】図２は、関連技術分野内のページング機構の概略図である。
【００２０】
【図３】図３は、本開示のある実施形態による、ページングメッセージを伝送するための方法のモバイル端末のハードウェアのブロック図である。
【００２１】
【図４】図４は、本開示のある実施形態による、ページングメッセージを伝送するための方法のフローチャート（１）である。
【００２２】
【図５】図５は、本開示のある実施形態による、ページングメッセージを伝送するための方法のフローチャート（２）である。
【００２３】
【図６】図６は、本開示の実施形態による、ＣＵとＤＵとの間の伝送待ち時間を推定するための方法のフローチャートである。
【００２４】
【図７】図７は、本開示のある実施形態による、ＤＵがページングメッセージを正常に受信することを応答するための方法のフローチャートである。
【００２５】
【図８】図８は、本開示のある実施形態による、ＣＵとＤＵとの間で異常ページングメッセージを応答するための方法のフローチャートである。
【００２６】
【図９】図９は、本開示のある実施形態による、ＣＵとＤＵとの間でページングメッセージを伝送するための方法のフローチャートである。
【００２７】
【図１０】図１０は、本開示のある実施形態による、デバイスの構造図（１）である。
【００２８】
【図１１】図１１は、本開示のある実施形態による、デバイスの構造図（２）である。
【発明を実施するための形態】
【００２９】
（詳細な説明）
以降では、本開示は、実施形態と併せて図面を参照して、詳細に説明されるであろう。矛盾していない場合、本願における実施形態およびその中の特徴は、相互と組み合わせられ得ることに留意されたい。
【００３０】
本開示の説明、請求項、および上記の図面の中の用語「第１」、「第２」、および同等物は、類似オブジェクトを区別するために使用され、必ずしも特定の順番または順序を説明するために使用されるわけではないことに留意されたい。
【００３１】
本願によって提供される方法の実施形態は、モバイル端末、コンピュータ端末、または他の類似コンピューティングデバイスの中で実行されてもよい。モバイル端末の中で実行される方法を実施例として挙げると、図３は、本開示のある実施形態による、ページングメッセージを伝送するための方法のモバイル端末のハードウェアのブロック図である。図３に示されるように、モバイル端末３０は、１つ以上の（１つだけが図３に示される）プロセッサ３０２（プロセッサ３０２は、限定ではないが、マイクロコントローラユニット（ＭＣＵ）およびフィールドプログラマブルゲートアレイ（ＦＰＧＡ）等の処理装置を含んでもよい）と、データを記憶するように構成されるメモリ３０４と、通信機能を実装するように構成される伝送装置３０６とを含んでもよい。図３に示される構造は、例証的にすぎず、上記に説明される電子装置の構造を限定することを意図していないことが、当業者によって理解されるはずである。例えば、モバイル端末３０はさらに、図３に示されるものよりも多いもしくは少ないコンポーネントを含んでもよい、または図３に示される構成と異なる構成を有してもよい。
【００３２】
メモリ３０４は、本開示の実施形態においてページングメッセージを伝送するための方法に対応する、プログラム命令／モジュール等のアプリケーションソフトウェアを記憶するためのソフトウェアプログラムおよびモジュールとして、構成されてもよい。プロセッサ３０２は、種々の機能アプリケーションおよびデータ処理を実施するように、すなわち、上記に説明される方法を実装するように、メモリ３０４の中に記憶されたソフトウェアプログラムおよびモジュールを実行する。メモリ３０４は、高速ランダムアクセスメモリを含んでもよく、さらに、１つ以上の磁気記憶デバイス、フラッシュメモリ、または他の不揮発性ソリッドステートメモリ等の不揮発性メモリを含んでもよい。いくつかの実施例では、メモリ３０４はさらに、プロセッサ３０２に対して遠隔に配置されるメモリを含んでもよい。これらの遠隔メモリは、ネットワークを介してモバイル端末３０に接続されてもよい。前述のネットワークの実施例は、限定ではないが、インターネット、イントラネット、ローカルエリアネットワーク、モバイル通信ネットワーク、およびそれらの組み合わせを含む。
【００３３】
伝送装置３０６は、ネットワークを介してデータを受信または送信するように構成される。上記に説明されるそのようなネットワークの具体的実施例は、モバイル端末３０の通信プロバイダによって提供される無線ネットワークを含んでもよい。一実施例では、伝送装置３０６は、基地局を介して他のネットワークデバイスに接続され、それによって、インターネットと通信し得る、ネットワークインターフェースコントローラ（ＮＩＣ）を含む。一実施例では、伝送装置１０６は、無線でインターネットと通信するように構成される、高周波（ＲＦ）モジュールであってもよい。
【００３４】
実施形態は、ページングメッセージを伝送するための方法を提供する。図４は、本開示のある実施形態による、ページングメッセージを伝送するための方法のフローチャート（１）である。図４に示されるように、プロセスは、以下のステップを含む。
【００３５】
ステップＳ４０２では、ページングメッセージが、生成される。
【００３６】
ステップＳ４０４では、ページングメッセージが、ＤＵに伝送される。上記のページングメッセージは、支援情報を含み、支援情報は、ページングメッセージを伝送するようにＤＵに命令するために使用される。
【００３７】
上記のステップでは、ページングメッセージを伝送した後、ＣＵは、ページングメッセージをＤＵに伝送し、ページングメッセージの中で搬送される支援情報に従って、ページングメッセージを伝送するようにＤＵに命令する。したがって、基地局がＣＵおよびＤＵに分離された後に、ページングメッセージが協調的にＣＵおよびＤＵによって伝送されることができないという関連技術分野内の問題は、ＣＵおよびＤＵを通してページングメッセージを適時に伝送するという効果を達成するように、解決され得る。
【００３８】
随意に、上記のステップは、ＣＵによって実行されてもよいが、必ずしもそうではなくてもよい。
【００３９】
随意の実施形態では、上記の支援情報は、ページングメッセージの期待伝送時間情報、ページングメッセージの期待伝送エリア情報、ページングメッセージの期待伝送周波数情報、ページングメッセージに対応するユーザタイプ情報、およびページングメッセージの反復伝送情報のうちの少なくとも１つを含む。ページングメッセージの上記の反復伝送情報は、ページングメッセージを繰り返し伝送する回数を計算するようにＤＵに命令するために使用される。本実施形態では、ユーザタイプは、通常端末ユーザを含み、また、マシンタイプ通信端末ユーザまたは所定のプロトコルに従って定義される端末ユーザも含む。
【００４０】
随意の実施形態では、上記の期待伝送時間情報は、ページングメッセージの期待伝送時点、およびページングメッセージの期待伝送時点を計算するためのパラメータのうちの少なくとも１つを含む。パラメータは、ページングメッセージを伝送する時点を計算するようにＤＵに命令するために使用される。本実施形態では、期待伝送時間情報は、事前定義されてもよい、または測定から計算されてもよい。
【００４１】
随意の実施形態では、上記の期待伝送エリア情報は、ページングメッセージが伝送されることが期待される、セルのリスト、ページングメッセージが伝送されることが期待される、場所エリア、およびページングメッセージが伝送されることが期待される、無線アクセスネットワーク（ＲＡＮ）ページングエリアのうちの少なくとも１つを含む。
【００４２】
随意の実施形態では、期待伝送周波数情報は、ページングメッセージの期待伝送帯域幅およびページングメッセージの期待伝送周波数のうちの少なくとも１つを含む。
【００４３】
随意の実施形態では、ページングメッセージがＤＵに伝送されるステップは、ページングメッセージの期待伝送エリア情報に従って、ページングメッセージが伝送される伝送エリアが属するＤＵを検索することと、ページングメッセージを、伝送エリアが属するＤＵに伝送することとを含む。本実施形態では、異なる伝送エリアが、異なるＤＵに属してもよい、または１つのＤＵに属してもよい。
【００４４】
随意の実施形態では、ページングメッセージがＤＵに伝送されるステップは、ＤＵ同期化メッセージをＤＵに伝送することと、ＤＵ同期化メッセージに従って、ＤＵによって伝送される応答メッセージを受信することと、応答メッセージに従って、ＤＵとの伝送待ち時間を計算することと、ページングメッセージの期待伝送時点の前に、伝送待ち時間に従って、ページングメッセージをＤＵに伝送することとを含む。本実施形態では、伝送待ち時間がいかに長くても、ページングメッセージは、伝送待ち時間に従って伝送される。
【００４５】
随意の実施形態では、ページングメッセージはさらに、端末ページング記録情報を含む。
【００４６】
随意の実施形態では、ページングメッセージがＤＵに伝送されるステップは、端末の不連続受信（ＤＲＸ）パラメータに従って、ページングメッセージの期待伝送時点を計算し、支援情報の中に期待伝送時点を取り込み、支援情報を搬送するページングメッセージをＤＵに伝送すること、および支援情報の中に端末のＤＲＸパラメータを取り込み、支援情報を搬送するページングメッセージをＤＵに伝送することのうちの１つを含む。ＤＲＸパラメータは、ページングメッセージの期待伝送時点を計算するようにＤＵに命令する。
【００４７】
実施形態は、ページングメッセージを伝送するための方法を提供する。図５は、本開示のある実施形態による、ページングメッセージを伝送するための方法のフローチャート（２）である。図５に示されるように、プロセスは、以下のステップを含む。
【００４８】
ステップＳ５０２では、ＣＵによって伝送されるページングメッセージが、受信される。ページングメッセージは、支援情報を含む。
【００４９】
ステップＳ５０４では、ページングメッセージが、支援情報に従って伝送される。
【００５０】
上記のステップでは、ＤＵは、ＣＵによって伝送されるページングメッセージを受信し、ページングメッセージは、支援情報を含み、ＤＵは、支援情報に従って、ページングメッセージを伝送する。したがって、基地局がＣＵおよびＤＵに分離された後に、ページングメッセージが協調的にＣＵおよびＤＵによって伝送されることができないという関連技術分野内の問題は、ＣＵおよびＤＵを通してページングメッセージを適時に伝送するという効果を達成するように、解決され得る。
【００５１】
随意に、上記のステップは、ＤＵによって実行されてもよいが、必ずしもそうではなくてもよい。
【００５２】
随意の実施形態では、上記の支援情報は、ページングメッセージの期待伝送時間情報、ページングメッセージの期待伝送エリア情報、ページングメッセージの期待伝送周波数情報、ページングメッセージに対応するユーザタイプ情報、およびページングメッセージの反復伝送情報のうちの少なくとも１つを含む。
【００５３】
随意の実施形態では、ページングメッセージが支援情報に従って伝送されるステップは、支援情報に従って、ページングメッセージの伝送時点を判定することと、伝送時点において事前設定された伝送様式でページングメッセージを伝送することとを含む。事前設定された伝送様式は、以下の情報：ページングメッセージの伝送エリア、ページングメッセージの伝送周波数、およびページングメッセージを繰り返し伝送する回数のうちの少なくとも１つを通して、判定される。
【００５４】
随意の実施形態では、支援情報に従って、ページングメッセージの伝送時点を判定するステップは、支援情報の中で明示的に示される時点に従って、伝送時点を判定すること、および支援情報の中で搬送されるＤＲＸパラメータに従って、伝送時点を判定することのうちの少なくとも１つを含む。
【００５５】
随意の実施形態では、ページングメッセージの伝送エリアは、支援情報の中で搬送される以下の情報：ページングメッセージが伝送されることが期待される、セルのリスト、ページングメッセージが伝送されることが期待される、場所エリア、およびページングメッセージが伝送されることが期待される、ＲＡＮページングエリアのうちの少なくとも１つに従って、判定される。
【００５６】
随意の実施形態では、ページングメッセージの伝送周波数は、支援情報の中で搬送される以下の情報：ページングメッセージの期待伝送帯域幅およびページングメッセージの期待伝送周波数のうちの少なくとも１つに従って、判定される。
【００５７】
随意の実施形態では、ページングメッセージを繰り返し伝送する回数は、支援情報の中で搬送される以下の情報：反復伝送情報に従って、判定される。
【００５８】
随意の実施形態では、ページングメッセージが支援情報に従って伝送されるステップの前に、本方法はさらに、１つ以上のページングメッセージ上で、同一伝送時点を伴う、いくつかの端末ページング記録情報を搬送することを含む。本実施形態では、１つのページングメッセージが過剰に多くのＵＥページング記録を含む場合、ページングメッセージが大きすぎて、無線スケジューリングの伝送リソースを超えることをもたらし得るため、本ページングメッセージは、別個に伝送されるいくつかの小さいページングメッセージに分割されてもよい。
【００５９】
随意の実施形態では、ページングメッセージが支援情報に従って伝送されるステップの前に、本方法はさらに、同一伝送時点を伴う、いくつかの端末ページング記録情報を１つのページングメッセージに組み合わせることを含む。本実施形態では、いくつかのＵＥによって計算される期待伝送時点が異なる場合、同一時点を伴う、いくつかのＵＥページング記録情報は、１つのページングメッセージに組み合わせられ、１つのページングメッセージは、複数のＵＥを呼び出すために使用される。
【００６０】
随意の実施形態では、ＣＵによって伝送されるページングメッセージが受信されるステップの後に、本方法はさらに、応答メッセージをＣＵに伝送することを含む。応答メッセージは、ページングメッセージが受信されることを示すために使用される。
【００６１】
随意の実施形態では、ページングメッセージが支援情報に従って伝送されるとき、本方法はさらに、ページングメッセージが異常に伝送されるという条件で、ページング異常メッセージをＣＵに伝送することを含む。ページング異常メッセージは、ページングメッセージを伝送することができないことの理由を含む。
【００６２】
随意の実施形態では、ページングメッセージが異常に伝送されるという条件で、ページング異常メッセージをＣＵに伝送するステップは、事前設定された伝送時点を逸失する異常イベントがページングメッセージを伝送する際に起こると判定することに応答して、伝送時間前進情報を含むページング異常メッセージをＣＵに伝送することを含む。時間前進情報は、ページングメッセージを伝送する時点を調節するようにＣＵに命令するために使用される。
【００６３】
随意の実施形態では、ページングメッセージはさらに、端末ページング記録情報を含む。
【００６４】
本開示は、具体的実施例と併せて以降で詳細に説明されるであろう。
【００６５】
実施例１
【００６６】
本実施例は、ＣＵおよびＤＵが分類される場合に好適なページング方法を提供する。本方法は、具体的に、下記に説明される内容を含む。
【００６７】
（１）ＣＵは、１つ以上の端末のページング記録情報を含む、ページングメッセージを生成し、ページングメッセージをＤＵに伝送し、ＣＵがページングメッセージをＤＵに伝送するときに、ページングメッセージの中でページングメッセージの支援情報を搬送する。
【００６８】
（２）ＣＵは、ＤＲＸパラメータ等の指定端末のパラメータに従って、エアインターフェース内でページングメッセージの期待伝送時点情報を計算し、支援情報の中に期待伝送時点情報を取り込む。加えて、ＣＵはまた、支援情報の中に、ＤＲＸパラメータ等の期待伝送時点情報を計算するための指定端末のパラメータを取り込んでもよく、ＤＵは、実際の期待伝送時点を計算する。
【００６９】
（３）ＣＵは、支援情報を設定する。支援情報は、以下の情報：１．ページングメッセージの期待伝送時間情報、２．ページングメッセージの期待伝送エリア情報、３．ページングメッセージの期待伝送周波数情報、４．ページングメッセージに対応するユーザタイプ情報、および５．ページングメッセージの反復伝送情報のうちの１つまたは組み合わせを含む。
【００７０】
（４）ＣＵによって設定される支援情報の中のページングメッセージの期待伝送時間情報は、以下の情報：１．ページングメッセージの期待伝送時点（例えば、システムフレーム番号（ＳＦＮ）、サブフレーム、タイムスロット等の期待伝送情報の組み合わせ）、および２．ＤＵが期待伝送時点を導出するために使用される、端末の期待伝送時点を計算するためのＤＲＸパラメータ等のパラメータのうちの１つであってもよい。
【００７１】
（５）ＣＵによって設定される支援情報の中のページングメッセージの期待伝送エリア情報は、１．ページングメッセージが伝送されることが期待される、セルのリスト、２．ページングメッセージが伝送されることが期待される、場所エリア、および３．ページングメッセージが伝送されることが期待される、ＲＡＮページングエリアのうちの１つまたは組み合わせであってもよい。
【００７２】
（６）ＣＵによって設定される支援情報の中のページングメッセージの期待伝送周波数情報は、１．ページングメッセージの期待伝送帯域幅および２．ページングメッセージの期待伝送周波数のうちの１つまたは組み合わせであってもよい。
【００７３】
（７）ＣＵによって設定される支援情報の中のページングメッセージのユーザタイプ情報は、通常端末、マシンタイプ通信（ＭＴＣ）端末、またはプロトコルの中で明確に定義される他のタイプの端末であってもよい。
【００７４】
（８）ＣＵによって設定される支援情報の中のページングメッセージの反復伝送情報は、ページングメッセージが繰り返し伝送される必要がある回数を示すために使用される。
【００７５】
（９）ＣＵは、ページングメッセージの期待伝送エリア情報に従って、伝送エリアが属するＤＵを検索し、ＣＵは、ページングメッセージを、伝送エリアが属するＤＵに伝送する。
【００７６】
（１０）ＣＵは、ＣＵとＤＵとの間の伝送待ち時間を推定するための方法を使用してもよい。本方法は、待ち時間に起因してエアインターフェース内のページングメッセージの伝送時点を逸失することを回避するように、ＣＵが事前にページングメッセージをＤＵに伝送するために使用されてもよい。ＣＵは、「ＤＵ同期化メッセージ」をＤＵに伝送する。同期化メッセージは、ＣＵがメッセージを伝送する、時点Ｔ１を搬送する。「ＤＵ同期化メッセージ」を受信した後、ＤＵは、ＤＵ同期化メッセージが受信される時点Ｔ２を記録し、「ＤＵ同期化応答メッセージ」を時点Ｔ３においてＣＵに伝送し、応答メッセージは、Ｔ１、Ｔ２、およびＴ３の時点情報を搬送する。「ＤＵ同期化応答メッセージ」を受信した後、ＣＵは、ＤＵ同期化応答メッセージが受信される時点Ｔ４を記録する。ＣＵ内の待ち時間計算モジュールは、Ｔ１、Ｔ２、Ｔ３、およびＴ４に従って、ＣＵからＤＵまでの伝送待ち時間を計算してもよい。ＣＵがページングメッセージをＤＵに伝送するとき、ＣＵは、事前に「ＤＵ同期化メッセージ」をＤＵに伝送することによって、かつ「ＤＵ同期化応答メッセージ」を受信することによって、ＣＵと指定ＤＵとの間の伝送待ち時間を推定してもよい。期待伝送時点の前に、ＣＵは、本伝送待ち時間に従って、事前にページングメッセージをＤＵに伝送してもよい。
【００７７】
（１１）ＣＵのページングメッセージを受信した後、ＤＵは、ページングメッセージの応答メッセージをＣＵに伝送し、ページングメッセージが正常に受信されたことをＣＵに知らせてもよい。随意に、ＤＵがＣＵのページングメッセージを受信した後、ＤＵは、ページングメッセージがＤＵから伝送されることができない場合に、「ページング異常インジケーションメッセージ」をＣＵに伝送する。随意に、本ページング異常インジケーションメッセージは、異常理由を搬送してもよい（例えば、ページングメッセージの中の指定ページング範囲が、本ＤＵの範囲内ではない、ページングメッセージの中で搬送される期待伝送時点が逸失された等）。随意に、異常理由が、ページングメッセージの中で搬送される期待伝送時点が逸失されたことである場合、「ページング異常インジケーションメッセージ」は、ＤＵがページングメッセージの中の期待伝送時点を逸失することを回避するように、伝送時間前進情報を搬送し、ページングメッセージをＤＵに伝送する時点を調節するようにＣＵに命令してもよい。
【００７８】
（１２）ＤＵは、ＣＵから伝送されるページングメッセージおよびページングメッセージの支援情報を受信し、支援情報に従って、受信されたページングメッセージの伝送時点を判定する。ＤＵは、方法：支援情報の中で明示的に示される時点に従って、伝送時点を判定すること（時点は、ＳＦＮ、サブフレーム、およびスロットの組み合わせであってもよい）、または支援情報の中で搬送されるＤＲＸパラメータ等のパラメータに従って、推定伝送時点を導出することのうちの１つにおいて、ページングメッセージの伝送時点を判定する。
【００７９】
（１３）ＤＵは、ＣＵから伝送されるページングメッセージおよびページングメッセージの支援情報を受信し、ページング支援情報に従って、ページングメッセージの伝送エリアを判定する。ページングメッセージの伝送エリア情報は、ページング支援情報の中で搬送される以下の情報：１．支援情報の中で搬送される、ページングメッセージが伝送されることが期待される、セルのリスト、２．支援情報の中で搬送される、ページングメッセージが伝送されることが期待される、場所エリア、および３．支援情報の中で搬送される、ページングメッセージが伝送されることが期待される、ＲＡＮページングエリアのうちの１つまたは組み合わせによって、判定されてもよい。
【００８０】
（１４）ＤＵは、ＣＵから伝送されるページングメッセージおよびページングメッセージの支援情報を受信し、支援情報に従って、ページングメッセージの伝送周波数を判定する。ページングメッセージの伝送周波数情報は、支援情報の中で搬送される以下の情報：１．支援情報の中で搬送される、ページングメッセージの期待伝送帯域幅、および２．支援情報の中で搬送される、ページングメッセージの期待伝送周波数によって、判定されてもよい。
【００８１】
（１５）ＤＵは、ＣＵから伝送されるページングメッセージおよびページングメッセージの支援情報を受信し、支援情報に従って、ページングメッセージを繰り返し伝送する回数を判定する。ページングメッセージを繰り返し伝送する回数は、支援情報の中で搬送される以下の情報：支援情報の中で搬送される、ページングメッセージの反復伝送情報に従って、判定される。
【００８２】
（１６）ＤＵは、ＣＵから伝送されるページングメッセージおよびページング支援情報を受信し、１つ以上のページングメッセージ上で、同一伝送時点を伴う１つ以上の端末のページング記録を搬送してもよい。ＤＵは、同一伝送時点を伴う１つ以上の端末のページング記録を１つのページングメッセージに組み合わせてもよい。
【００８３】
（１７）ＤＵは、ページングメッセージの期待伝送時点に従って、指定時点において具体的様式でページングメッセージを伝送する。具体的伝送様式は、ＤＵによって判定される、ページングメッセージ伝送エリア、ページングメッセージ伝送周波数、およびページングメッセージを繰り返し伝送する回数と一致する。
【００８４】
実施例２
【００８５】
図６は、本開示の実施形態による、ＣＵとＤＵとの間の伝送待ち時間を推定するための方法のフローチャートである。図６に示されるように、本方法は、下記に説明されるステップを含む。
【００８６】
ステップ１では、ＣＵは、「ＤＵ同期化メッセージ」をＤＵに伝送する。ＤＵ同期化メッセージは、ＣＵが本メッセージを伝送する、時点Ｔ１を搬送する。
【００８７】
ステップ２では、「ＤＵ同期化メッセージ」を受信した後、ＤＵは、本メッセージが受信される時点Ｔ２を記録する。
【００８８】
ステップ３では、ＤＵは、時点Ｔ３において「ＤＵ同期化応答メッセージ」をＣＵに伝送する。応答メッセージは、Ｔ１、Ｔ２、およびＴ３の時点情報を搬送する。
【００８９】
ステップ４では、「ＤＵ同期化応答メッセージ」を受信した後、ＣＵは、本メッセージが受信される時点Ｔ４を記録する。
【００９０】
ステップ５では、ＣＵ内の待ち時間計算モジュールは、Ｔ１、Ｔ２、Ｔ３、およびＴ４に従って、ＣＵとＤＵとの間の伝送待ち時間を計算してもよい（例えば、ＣＵからＤＵまでの伝送待ち時間は、（Ｔ２−Ｔ１）であり、ＤＵからＣＵまでの伝送待ち時間は、（Ｔ４−Ｔ３）である、ＣＵとＤＵとの間の待ち時間は、（Ｔ２−Ｔ１＋Ｔ４−Ｔ３）／２と見なされ、または複数の待ち時間推定が、上記の待ち時間推定方法に従って実施されてもよく、複数の待ち時間推定の平均値が、ＣＵからＤＵまでの伝送待ち時間として計算される）。
【００９１】
実施例３
【００９２】
図７は、本開示のある実施形態による、ＤＵがページングメッセージを正常に受信することを応答するための方法のフローチャートである。本方法は、下記に説明されるステップを含む。
【００９３】
ステップ１では、ＣＵは、１つ以上の端末のページング記録情報を含む、ページングメッセージを生成し、ページングメッセージをＤＵに伝送し、ＤＵに伝送されるページングメッセージの中で支援情報を搬送する。
【００９４】
ステップ２では、ＤＵがページングメッセージを正常に受信し、ページングメッセージの中の支援情報の構成が正しいことを判定する場合、ＤＵは、ページング応答メッセージをＣＵに伝送し、ページングメッセージが正常に受信されたことをＣＵに知らせる。
【００９５】
図８は、本開示のある実施形態による、ＣＵとＤＵとの間で異常ページングメッセージを応答するための方法のフローチャートである。図８に示されるように、本方法は、下記に説明されるステップを含む。
【００９６】
ステップ１では、ＣＵは、１つ以上の端末のページング記録情報を含む、ページングメッセージを生成し、ページングメッセージをＤＵに伝送し、ＤＵに伝送されるページングメッセージの中で支援情報を搬送する。
【００９７】
ステップ２では、ＤＵがエアインターフェース内でページングメッセージを伝送することができない場合、ＤＵは、「ページング異常インジケーションメッセージ」をＣＵにフィードバックする必要がある。随意に、本メッセージは、異常理由を搬送してもよい（例えば、ページングメッセージの中の指定ページング範囲が、本ＤＵの範囲内ではない、ページングメッセージの中で搬送される期待伝送時点が逸失された等）。随意に、異常理由が、ページングメッセージの中で搬送される期待伝送時点が逸失されたことである場合、「ページング異常インジケーションメッセージ」は、ＤＵがページングメッセージの中の期待伝送時点を逸失することを回避するように、伝送時間前進情報を搬送し、ページングメッセージをＤＵに伝送する時点を調節するようにＣＵに命令してもよい。
【００９８】
ステップ３では、ＤＵの「ページング異常インジケーションメッセージ」を受信した後、ＣＵは、ページングメッセージをＤＵに再伝送してもよい。例えば、「ページング異常インジケーションメッセージ」が伝送時間前進情報を搬送する場合、ＣＵは、伝送時間前進情報に従って、ページングメッセージをＤＵに伝送する時点を調節し、調節された時点においてページングメッセージをＤＵに再伝送する。
【００９９】
図９は、本開示のある実施形態による、ＣＵとＤＵとの間でページングメッセージを伝送するための方法のフローチャートである。図９に示されるように、本方法は、下記に説明されるステップを含む。
【０１００】
ステップ１では、ＣＵは、１つ以上の端末のページング記録情報を含む、ページングメッセージを生成し、ページングメッセージをＤＵに伝送し、ＤＵに伝送されるページングメッセージの中で支援情報を搬送する。随意に、ＣＵは、指定端末のＤＲＸパラメータ等のパラメータに従って、エアインターフェース内でページングメッセージの期待伝送時点情報を計算し、支援情報の中に期待伝送時点情報を取り込む。随意に、ＣＵはまた、支援情報の中に指定端末のＤＲＸパラメータ等のパラメータを取り込んでもよく、パラメータは、期待伝送時点情報を計算するために使用され、ＤＵは、実際の期待伝送時点を計算する。ＣＵは、支援情報を設定し、支援情報は、以下の情報：１．ページングメッセージの期待伝送時間情報、２．ページングメッセージの期待伝送エリア情報、３．ページングメッセージの期待伝送周波数情報、４．ページングメッセージに対応するユーザタイプ情報、および５．ページングメッセージの反復伝送情報のうちの１つまたは組み合わせを含む。ＣＵによって設定される支援情報の中のページングメッセージの期待伝送時間情報は、以下の情報：１．ページングメッセージの期待伝送時点（例えば、ＳＦＮ、サブフレーム、タイムスロット等の期待伝送情報の組み合わせ）、および２．ＤＵが時点を導出するために使用される、端末の期待伝送時点を計算するためのＤＲＸパラメータ等のパラメータのうちの１つであってもよい。ＣＵによって設定される支援情報の中のページングメッセージの期待伝送エリア情報は、１．ページングメッセージが伝送されることが期待される、セルのリスト、２．ページングメッセージが伝送されることが期待される、場所エリア、および３．ページングメッセージが伝送されることが期待される、ＲＡＮページングエリアのうちの１つまたは組み合わせであってもよい。ＣＵによって設定される支援情報の中のページングメッセージの期待伝送周波数情報は、１．ページングメッセージの期待伝送帯域幅および２．ページングメッセージの期待伝送周波数点のうちの１つまたは組み合わせであってもよい。ＣＵによって設定される支援情報の中のページングメッセージのユーザタイプ情報は、通常端末、ＭＴＣ端末、またはプロトコルの中で明確に定義される他のタイプの端末であってもよい。ＣＵによって設定される支援情報の中のページングメッセージの反復伝送情報は、ページングメッセージが繰り返し伝送される必要がある回数を示すために使用される。
【０１０１】
随意に、ＣＵは、ページングメッセージを伝送する前に、実施例１における方法を使用し、ＣＵとＤＵとの間の待ち時間を推定してもよい。本方法は、待ち時間に起因してエアインターフェース内のページングメッセージの伝送時点を逸失することを回避するように、ＣＵが事前にページングメッセージをＤＵに伝送するために使用されてもよい。
【０１０２】
ステップ２では、ＣＵは、ページングメッセージの期待伝送エリア情報に従って、伝送エリアが属するＤＵを検索し、ＣＵは、ページングメッセージを本ＤＵに伝送する。ページングメッセージは、ページング支援情報を搬送する。
【０１０３】
ステップ３では、ＤＵは、ＣＵから伝送されるページングメッセージおよびページングメッセージの支援情報を受信し、ページング支援情報に従って、受信されたページングメッセージの伝送時点を判定する。ＤＵは、方法：１．支援情報の中で明示的に示される時点に従って、伝送時点を判定すること（時点は、ＳＦＮ、サブフレーム、およびスロットの組み合わせであってもよい）、または２．ページング支援情報の中で搬送されるＤＲＸパラメータ等のパラメータに従って、推定伝送時点を導出することのうちの１つにおいて、ページングメッセージの伝送時点を判定する。
【０１０４】
ＤＵは、ＣＵから伝送されるページングメッセージおよびページング支援情報を受信し、ページング支援情報に従って、ページングメッセージの伝送エリアを判定する。ページングメッセージの伝送エリア情報は、ページング支援情報の中で搬送される以下の情報：１．支援情報の中で搬送される、ページングメッセージが伝送されることが期待される、セルのリスト、２．支援情報の中で搬送される、ページングメッセージが伝送されることが期待される、場所エリア、および３．支援情報の中で搬送される、ページングメッセージが伝送されることが期待される、ＲＡＮページングエリアのうちの１つまたは組み合わせによって、判定されてもよい。ＤＵは、ＣＵから伝送されるページングメッセージおよびページング支援情報を受信し、ページング支援情報に従って、ページングメッセージの伝送周波数を判定する。ページングメッセージの伝送周波数情報は、ページング支援情報の中で搬送される以下の情報：１．支援情報の中で搬送される、ページングメッセージの期待伝送帯域幅、および２．支援情報の中で搬送される、ページングメッセージの期待伝送周波数点によって、判定されてもよい。
【０１０５】
ＤＵは、ＣＵから伝送されるページングメッセージおよびページング支援情報を受信し、ページング支援情報に従って、ページングメッセージを繰り返し伝送する回数を判定する。
【０１０６】
ページングメッセージを繰り返し伝送する回数は、ページング支援情報の中で搬送される以下の情報：支援情報の中で搬送される、ページングメッセージの反復伝送情報に従って、判定される。
【０１０７】
ＤＵは、ＣＵから伝送されるページングメッセージおよびページング支援情報を受信し、１つ以上のページングメッセージ上で、同一伝送時点を伴う１つ以上の端末のページング記録を搬送してもよい。ＤＵは、同一伝送時点を伴う１つ以上の端末のページング記録を１つのページングメッセージに組み合わせてもよい。
【０１０８】
随意に、ＤＵがＣＵのページングメッセージを受信した後、ＤＵは、実施例２および実施例３に説明される方法に従って、ページング応答メッセージまたはページング異常インジケーションメッセージをＣＵに伝送する。
【０１０９】
ステップ４では、ＤＵは、ページングメッセージの期待伝送時点に従って、指定時点において具体的様式でページングメッセージを伝送する。具体的伝送様式は、ＤＵによって判定される、ページングメッセージ伝送エリア、ページングメッセージ伝送周波数、およびページングメッセージを繰り返し伝送する回数と一致する。
【０１１０】
上記に説明される実施形態の説明から、上記に説明される実施形態における方法は、必要な汎用ハードウェアプラットフォームを加えたソフトウェアによって実装され得る、または当然ながらハードウェアによって実装され得ることが、当業者に明白であろう。しかしながら、多くの場合、前者が、好ましい実装モードである。本理解に基づいて、本開示の技術的ソリューションは、実質的に、または既存の技術分野に寄与する部分は、ソフトウェア製品の形態で具現化されてもよい。ソフトウェア製品は、記憶媒体（読取専用メモリ（ＲＯＭ）、ランダムアクセスメモリ（ＲＡＭ）、磁気ディスク、または光ディスク等）の中に記憶され、端末デバイス（携帯電話、コンピュータ、サーバ、またはネットワークデバイスであり得る）が、本発明の各実施形態に説明される方法を実施することを可能にするためのいくつかの命令を含む。
【０１１１】
本実施形態は、ページングメッセージを伝送するためのデバイスを提供する。本デバイスは、上記の実施形態および実施例を実装するように構成される。説明されたものは、繰り返されないであろう。下記で使用されるように、用語「モジュール」は、所定の機能を実装することが可能なソフトウェア、ハードウェア、またはそれらの組み合わせであってもよい。下記に説明される実施形態におけるデバイスは、好ましくは、ソフトウェアによって実装されるが、ハードウェアによる、またはソフトウェアおよびハードウェアの組み合わせによる、実装もまた、可能であり、構想される。
【０１１２】
図１０は、本開示のある実施形態による、デバイスの構造図（１）である。図１０に示されるように、本デバイスは、生成モジュール１００２と、第１の伝送モジュール１００４とを含む。本デバイスは、下記で詳細に説明されるであろう。
【０１１３】
生成モジュール１００２は、ページングメッセージを生成するように構成される。第１の伝送モジュール１００４は、生成モジュール１００２に接続され、ページングメッセージをＤＵに伝送するように構成される。ページングメッセージは、支援情報を含み、支援情報は、ページングメッセージを伝送するようにＤＵに命令するために使用される。
【０１１４】
随意の実施形態では、上記の支援情報は、ページングメッセージの期待伝送時間情報、ページングメッセージの期待伝送エリア情報、ページングメッセージの期待伝送周波数情報、ページングメッセージに対応するユーザタイプ情報、およびページングメッセージの反復伝送情報のうちの少なくとも１つを含む。ページングメッセージの上記の反復伝送情報は、ページングメッセージを繰り返し伝送する回数を計算するようにＤＵに命令するために使用される。
【０１１５】
随意の実施形態では、上記の期待伝送時間情報は、ページングメッセージの期待伝送時点およびページングメッセージの期待伝送時点を計算するためのパラメータのうちの少なくとも１つを含む。パラメータは、ページングメッセージを伝送する時点を計算するようにＤＵに命令するために使用される。
【０１１６】
随意の実施形態では、上記の期待伝送エリア情報は、ページングメッセージが伝送されることが期待される、セルのリスト、ページングメッセージが伝送されることが期待される、場所エリア、およびページングメッセージが伝送されることが期待される、ＲＡＮページングエリアのうちの少なくとも１つを含む。
【０１１７】
随意の実施形態では、期待伝送周波数情報は、ページングメッセージの期待伝送帯域幅およびページングメッセージの期待伝送周波数のうちの少なくとも１つを含む。
【０１１８】
随意の実施形態では、第１の伝送モジュール１００４は、以下の様式：ページングメッセージの期待伝送エリア情報に従って、ページングメッセージが伝送される伝送エリアが属するＤＵを検索することと、ページングメッセージを、伝送エリアが属するＤＵに伝送することとを通して、ページングメッセージをＤＵに伝送する。
【０１１９】
随意の実施形態では、第１の伝送モジュール１００４は、以下の様式：ＤＵ同期化メッセージをＤＵに伝送することと、ＤＵ同期化メッセージに従って、ＤＵによって伝送される応答メッセージを受信することと、応答メッセージに従って、ＤＵとの伝送待ち時間を計算することと、ページングメッセージの期待伝送時点の前に、伝送待ち時間に従って、ページングメッセージをＤＵに伝送することとを通して、ページングメッセージをＤＵに伝送する。
【０１２０】
随意の実施形態では、ページングメッセージはさらに、端末ページング記録情報を含む。
【０１２１】
随意の実施形態では、第１の伝送モジュール１００４は、以下の様式：端末のＤＲＸパラメータに従って、ページングメッセージの期待伝送時点を計算し、支援情報の中に期待伝送時点を取り込み、支援情報を搬送するページングメッセージをＤＵに伝送すること、または支援情報の中に端末のＤＲＸパラメータを取り込み、支援情報を搬送するページングメッセージをＤＵに伝送することであって、ＤＲＸパラメータは、ページングメッセージの期待伝送時点を計算するようにＤＵに命令する、ことのうちの１つを通して、ページングメッセージをＤＵに伝送する。
【０１２２】
図１１は、本開示のある実施形態による、デバイスの構造図（２）である。図１１に示されるように、本デバイスは、受信モジュール１１０２と、第２の伝送モジュール１１０４とを含む。本デバイスは、下記で詳細に説明されるであろう。
【０１２３】
受信モジュール１１０２は、ＣＵによって伝送されるページングメッセージを受信するように構成され、ページングメッセージは、支援情報を含む。第２の伝送モジュール１１０４は、受信モジュール１１０２に接続され、支援情報に従って、ページングメッセージを伝送するように構成される。
【０１２４】
随意の実施形態では、上記の支援情報は、ページングメッセージの期待伝送時間情報、ページングメッセージの期待伝送エリア情報、ページングメッセージの期待伝送周波数情報、ページングメッセージに対応するユーザタイプ情報、およびページングメッセージの反復伝送情報のうちの少なくとも１つを含む。
【０１２５】
随意の実施形態では、第２の伝送モジュール１１０４は、以下の様式：支援情報に従って、ページングメッセージの伝送時点を判定することと、伝送時点において事前設定された伝送様式でページングメッセージを伝送することとを通して、支援情報に従って、ページングメッセージを伝送する。事前設定された伝送様式は、以下の情報ページングメッセージの伝送エリア、ページングメッセージの伝送周波数、およびページングメッセージを繰り返し伝送する回数のうちの少なくとも１つを通して、判定される。
【０１２６】
随意の実施形態では、本デバイスは、以下の様式：支援情報の中で明示的に示される時点に従って、伝送時点を判定すること、または支援情報の中で搬送されるＤＲＸパラメータに従って、伝送時点を判定することのうちの少なくとも１つを通して、支援情報に従って、ページングメッセージの伝送時点を判定する。
【０１２７】
随意の実施形態では、本デバイスは、支援情報の中で搬送される以下の情報：ページングメッセージが伝送されることが期待される、セルのリスト、ページングメッセージが伝送されることが期待される、場所エリア、およびページングメッセージが伝送されることが期待される、ＲＡＮページングエリアのうちの少なくとも１つに従って、ページングメッセージの伝送エリアを判定する。
【０１２８】
随意の実施形態では、本デバイスは、支援情報の中で搬送される以下の情報：ページングメッセージの期待伝送帯域幅およびページングメッセージの期待伝送周波数のうちの少なくとも１つに従って、ページングメッセージの伝送周波数を判定する。
【０１２９】
随意の実施形態では、本デバイスは、支援情報の中で搬送される以下の情報：支援情報の中で搬送される反復伝送情報に従って、ページングメッセージを繰り返し伝送する回数を判定する。
【０１３０】
随意の実施形態では、本デバイスはさらに、搬送モジュールを含む。搬送モジュールは、ページングメッセージが支援情報に従って伝送される前に、１つ以上のページングメッセージ上で、同一伝送時点を伴う、いくつかの端末ページング記録情報を搬送するように構成される。
【０１３１】
随意の実施形態では、本デバイスはさらに、組み合わせモジュールを含む。組み合わせモジュールは、ページングメッセージが支援情報に従って伝送される前に、同一伝送時点を伴う、いくつかの端末ページング記録情報を１つのページングメッセージに組み合わせるように構成される。
【０１３２】
随意の実施形態では、本デバイスはさらに、第３の伝送モジュールを含む。第３の伝送モジュールは、ＣＵによって伝送されるページングメッセージが受信された後に、応答メッセージをＣＵに伝送するように構成される。応答メッセージは、ページングメッセージが受信されることを示すために使用される。
【０１３３】
随意の実施形態では、本デバイスはさらに、第４の伝送モジュールを含む。第４の伝送モジュールは、ページングメッセージが支援情報に従って伝送されるときに、ページングメッセージが異常に伝送される場合において、ページング異常メッセージをＣＵに伝送するように構成される。ページング異常メッセージは、ページングメッセージを伝送することができないことの理由を含む。
【０１３４】
随意の実施形態では、第５の伝送モジュールは、以下の様式：事前設定された伝送時点を逸失する異常イベントがページングメッセージを伝送する際に起こると判定することに応答して、伝送時間前進情報を含むページング異常メッセージをＣＵに伝送することを通して、ページングメッセージが異常に伝送されるという条件で、ページング異常メッセージをＣＵに伝送する。時間前進情報は、ページングメッセージを伝送する時点を調節するようにＣＵに命令するために使用される。
【０１３５】
随意の実施形態では、ページングメッセージはさらに、端末ページング記録情報を含む。
【０１３６】
上記に説明される種々のモジュールは、ソフトウェアまたはハードウェアによって実施され得ることに留意されたい。ハードウェアによる実装は、必ずしもそうではなくてもよいが、以下の様式：上記に説明される種々のモジュールが同一のプロセッサの中に位置すること、または上記に説明される種々のモジュールが任意の組み合わせの形態でそれらの個別のプロセッサの中に位置することで実施され得る。
【０１３７】
本開示の実施形態はさらに、記憶媒体を提供する。記憶媒体は、実行されると、上記の方法のうちのいずれかを実行する、記憶されたプログラムを含む。
【０１３８】
随意に、本実施形態では、記憶媒体は、上記に説明されるステップを実行するためのプログラムコードを記憶するように構成されてもよい。
【０１３９】
随意に、本実施形態では、記憶媒体は、限定ではないが、ＵＳＢディスク、ＲＯＭ、ＲＡＭ、モバイルハードディスク、磁気ディスク、光ディスク、またはプログラムコードを記憶することが可能な別の媒体を含んでもよい。
【０１４０】
本開示の実施形態はさらに、プロセッサを提供する。プロセッサは、実行されると、上記の実施形態のうちのいずれか１つの方法におけるステップを実施する、プログラムを実行するように構成される。
【０１４１】
随意に、本実施形態における具体的実施例に関して、上記の実施形態および随意の実施形態に説明される実施例が参照されてもよく、繰り返しは、本実施形態では行われないであろう。
【０１４２】
明白に、本開示の上記のモジュールまたはステップがそれぞれ、汎用コンピューティングデバイスによって実装され得る、モジュールまたはステップは、単一のコンピューティングデバイス上に集中される、もしくは複数のコンピューティングデバイスから成るネットワーク上に分散され得る、代替として、モジュールまたはステップは、モジュールまたはステップが記憶デバイスの中に記憶され、コンピューティングデバイスによって実行され得るように、コンピューティングデバイスによって実行可能なプログラムコードによって実装され得ることが、当業者によって理解されるはずである。いくつかの状況では、図示または説明されるステップは、本明細書に説明されるものと異なる順序で実行されてもよい、またはモジュールもしくはステップは、別個に種々の集積回路モジュールに作製されてもよい、またはその中の複数のモジュールもしくはステップは、実装のために単一の集積回路モジュールに作製されてもよい。このように、本開示は、ハードウェアおよびソフトウェアのいかなる具体的な組み合わせにも限定されない。
【０１４３】
上記は、本開示の好ましい実施形態にすぎず、本開示を限定することを意図していない。
【図１】
0006933732.tif 000002
【図２】
0006933732.tif 000003
【図３】
0006933732.tif 000004
【図４】
0006933732.tif 000005
【図５】
0006933732.tif 000006
【図６】
0006933732.tif 000007
【図７】
0006933732.tif 000008
【図８】
0006933732.tif 000009
【図９】
0006933732.tif 000010
【図１０】
0006933732.tif 000011
【図１１】
0006933732.tif 000012